(57)【要約】【課題】車両用の入力システムに関するものであり、操作対象の機器が変更、追加、削除された場合でも、同じ構成の入力システムで操作するものである。【解決手段】自動車に搭載される機器が変更、追加、削除された場合、追加、または変更された機器５〜７から、制御部２の記憶部４における表示器３に表示される入力情報と機器を制御する情報を書き替えて新しいシステムの制御状態に変更する構成を有しており、機器に変更または追加または削除があった場合でも入力装置と制御部を変更することなく機器を操作できる。【選択図】図３
2006321356.tif 000002
【特許請求の範囲】
【請求項１】
複数の操作を共有する入力装置と、前記入力装置の信号を受信し自動車に搭載される複数の機器に制御信号を送信する制御部からなり、前記自動車に搭載される複数の機器の少なくとも１つが変更または追加もしくは削減されたときに前記制御部から送信される制御信号を前記変更、追加、削除に応じて変化することを特徴とする車両用入力システム。
【請求項２】
制御部から信号を受信し入力装置の入力情報の画像を発する表示器を有し、機器の少なくとも１つが変更または追加または削減されたとき前記表示器の入力情報が変化する請求項１に記載の車両用入力システム。
【請求項３】
表示器で表示される入力情報の画像は、機器の機器選択及び機能選択並びに状態変更の少なくとも一つを表示することを特徴とする請求項２に記載の車両用入力システム。
【請求項４】
制御部に制御部から送信される信号の情報を記憶する書き替え可能な記憶部を有することを特徴とする請求項１から３のいずれかひとつに記載の車両用入力システム。
【請求項５】
制御部に表示器の入力情報を記憶する書き替え可能な記憶部を有することを特徴とする請求項４に記載の車両用入力システム。
【請求項６】
制御部が記録媒体を読み取る機能を備え、記憶媒体から読み込んだ情報で記憶部の内容を書き替える請求項１から５のいずれかひとつに記載の車両用入力システム。
【請求項７】
制御部がデータ通信は有線または無線で通信する機能を備え、有線または無線で読み込んだ情報で記憶部の内容を書き替える請求項１から６のいずれかひとつに記載の車両用入力システム。
【請求項８】
有線で通信する機能が、入力装置または機器もしくは表示器の少なくともひとつとの信号線と共用することを特徴とする請求項７に記載の車両用入力システム。
【請求項９】
制御部の記憶部は、変更または追加または削減された機器からその機器に関する制御部からの通信及び入力装置の入力情報を信号線を通じて認識し、書き替えることを特徴とする請求項８に記載の車両用入力装置。
【発明の詳細な説明】
【技術分野】
【０００１】
本発明は、特に自動車の車室内に設置される車両用入力システムに関するものである。
【背景技術】
【０００２】
近年、自動車において、安全性、快適性向上のため、搭載される装備が増加する傾向にある。具体的にはエアコンやオーディオの標準化、カーナビゲーションの普及が挙げられ、将来的にはテレマティックスに代表されるカーコミュニケーション関連装備も増加してくると予想される。このような多機能に対応した入力装置として、例えば図１１に示すスイッチシステムが提案されている。
【０００３】
１０１〜１０４はプッシュ選択スイッチ、１０５はダイヤル操作装置である。
【０００４】
例えば、ダイヤル操作装置１０５を回転することにより操作対象の機器を切り替え、プッシュ選択スイッチ１０１〜１０４がそれぞれエアコン、オーディオ、ナビ、通信などの機器選択の操作を行ったり、ＦＭ、ＡＭ、ＣＤ、ＴＡＰＥなどのオーディオの機能選択を行うスイッチに変化し、それを表示装置で表示することで確認しながら操作することができる。
【０００５】
なお、この出願の発明に関する先行技術文献情報としては、例えば、特許文献１が知られている。
【特許文献１】特開２００３−６８１６２号公報
【発明の開示】
【発明が解決しようとする課題】
【０００６】
しかしながら、上記した車載機器操作装置において、操作対象の機器に変更があった場合、その機器が変更前の機器と同じ機能を有し、さらに同じ制御信号で制御される機器であれば、操作可能であるが、異なった機能を有したり、異なった制御信号で制御されたりする場合、その機器を操作することは困難である。また、新しい機器が追加された場合は、その機器は同じ入力システムでは操作することができないという課題があった。
【０００７】
本発明は上記従来の課題を解決するもので、操作対象の機器が変更されたり、追加されたりする場合でも同じ入力装置を用いて操作できる車両用入力システムを提供することを目的とするものである。
【課題を解決するための手段】
【０００８】
上記目的を達成するために、本発明は以下の構成を有する。
【０００９】
本発明の請求項１に記載の発明は、特に、自動車に搭載される機器の少なくとも１つに変更または追加または削除があった場合、制御部から機器に送信する信号を変更する構成を有しており、これにより、機器に変更または追加または削除があった場合でも入力装置と制御部を変更することなく機器を操作できるという作用効果が得られる。
【発明の効果】
【００１０】
本発明の車両用入力システムは、複数の操作を共有する入力装置で複数の自動車に搭載される機器を操作する場合において、機器が変更または追加または削除された場合でも、入力装置を変更することなく複数の従来の機器および変更または追加された機器を使うことができるという作用効果が得られる。
【発明を実施するための最良の形態】
【００１１】
（実施の形態１）
以下、実施の形態１を用いて、本発明の請求項１〜９に記載の発明について説明する。
【００１２】
図１は本発明の実施の形態１における入力装置と制御部と複数の機器と表示器の構成を示したブロック図である。図２は入力装置の平面図である。図３は入力装置と記録媒体を読み取る機能を備えた制御部と複数の機器と表示器の構成を説明するブロック図である。図４、５は表示器の表示の動作説明図である。図６は入力装置と機器が追加された場合の記録媒体を読み取る機能を備えた制御部と複数の機器と表示器の構成を説明するブロック図である。図７は入力装置と有線で通信する機能を備えた制御部の構成と複数の機器と表示器の構成を説明するブロック図である。図８は入力装置と無線で通信する機能を備えた制御部と複数の機器と表示器の構成を説明するブロック図である。図９は入力装置と制御部と複数の機器と表示器を示したブロック図である。図１０は機器が変更されたときにシステムの動作の概略を表すフローチャートである。
【００１３】
図１〜３、図６〜９において１は入力装置であり、例えばステアリングに設置する。２は前記入力装置１に接続された制御部である。３は前記制御部２に接続された表示器である。４は前記制御部２の内部にある記憶部であり、表示器３に出力する情報とオーディオ５、エアコン６、電話７を制御する信号に関する情報を記憶する。８は前記制御部２の内部にあり前記表示器３の表示内容を制御する表示器制御部であり、９は機器通信部であり前記制御部２の内部にあって前記オーディオ５、エアコン６、電話７を制御する信号を送信する。１０は前記制御部２に組み込まれた記録媒体読み取り装置である。１１は前記制御部２及び前記オーディオ５、エアコン６、電話７に有線で接続され前記記憶部４を書き替える情報を送信する記憶変更手段である。１２は前記制御部２内部にあり前記記憶部４を書き替える情報を無線で送信する記憶変更手段１３からの無線通信を受信する無線受信部である。２１〜２４は前記入力装置１に属するプッシュスイッチであり、その出力は前記制御部２に送信される。３０は前記制御部２の内部の機器通信部９に前記オーディオ５、エアコン６、電話７と同様に接続された追加の機器であるカーナビゲーションシステムである。４０は前記制御部２の内部の機器通信部９に前記オーディオ５、エアコン６、電話７と同様に接続された追加の機器であるカーナビゲーションシステムであり、内部に前記カーナビゲーションシステム４０を制御する信号に関する情報と表示器３に追加する情報を記憶する機器情報記憶部４１を有する。
【００１４】
図４（ａ）は機器が追加される前の表示の一例を示す図であり、図４（ｂ）は機器が追加された後の表示の一例を示す図である。図５（ａ）は機器が変更される前の表示の一例を示す図であり、図５（ｂ）は機器が変更された後の表示の一例を示す図である。図４（ａ）、（ｂ）、図５（ａ）、（ｂ）の表示は操作者が操作を行いやすいように、前記入力装置１のプッシュスイッチ２１〜２４の配列に模して表示している。
【００１５】
次に、以上の構成により車両用入力システムの動作を説明する。
【００１６】
操作者が例えばオーディオ５を操作する場合、図４（ａ）に示されたように操作者は表示器３で表示された入力情報を確認して、図１の入力装置１のプッシュスイッチ２１〜２４のうちオーディオ５に対応するプッシュスイッチ２２を操作することで、プッシュスイッチ２２が押されたことを識別できる信号が制御部２に送られる。制御部２ではプッシュスイッチが押される前の状況によって、その状態でどのプッシュスイッチが押されたかの情報が記憶部４に記憶されている情報に照らし合わされ、適合した機器制御信号が機器通信部９からオーディオ５に送信されオーディオ５が動作する。
【００１７】
また、表示器３に対して記憶部４に記憶されている表示器制御信号が表示器制御部８から出力され表示器３は新しい状態での入力情報として例えばオーディオ５の音の出力機能として、ＦＭラジオ、ＡＭラジオ、ＣＤ、ＣＤチェンジャーの機能を持っていた場合、図５（ａ）に示すようなオーディオの機能を選択する画面が表示される。さらに、例えば、操作者はオーディオ５のＡＭラジオの機能を使いたい場合は表示器３の表示で確認したプッシュスイッチ２１を押すことで機能選択ができる。エアコン６、電話７も同様に対応するプッシュスイッチを押すことで、機器の選択、機能の選択ができる。
【００１８】
次に、機器が変更された場合について図１０を用いて説明する。ステップＳ５１のようにオーディオ５が新しい機種に変更され、ＣＤチェンジャーの機能が無くなりハードディスクオーディオの機能が追加された場合、制御部２内部の記憶部４には変更された機器及び機能についての記憶が無い。そのため、ステップＳ５２において作業をなにもしなければ、新しいオーディオ５を接続し、図４（ａ）に示す機器選択画面でオーディオが表示器３で入力情報として表示され、入力装置１のプッシュボタン２２を押し、記憶部４に記憶されている情報と照らし合わせて機器通信部９からオーディオ５に機器制御信号が送信されても、変更前のオーディオの信号とデータ内容が異なっていればステップＳ５７に示すようにオーディオ５は動作しない。
【００１９】
そのため、機器が変更されたときには、ステップＳ５２での作業を行うこととし、図３に示す記録媒体読み取り装置１０に、例えば新しいオーディオ５を制御する制御信号の情報と表示器３に表示される入力情報を記録したＳＤカードなどの記録媒体を装着し、ステップＳ５３のごとく新しいオーディオ５を制御する制御信号の情報と表示器３に表示される入力情報を読み取らせ、ステップＳ５４のごとくそれらの情報を記憶部４に記憶させる。その結果、ステップＳ５５のごとく、記憶部４に記憶されている情報が更新され、ステップＳ５６のごとく、オーディオ５の操作を行いたい場合、入力部１のプッシュスイッチ２２を押すことでオーディオが選択され、表示器３の入力情報は新しいオーディオ５の入力情報として図４（ｂ）の情報が表示され、機能選択としてハードディスクオーディオを選択することができる。
【００２０】
また、図６に示すように制御部２に新しい機器としてカーナビゲーションシステム３０が追加された場合、制御部２の内部の記憶部４にはカーナビゲーションシステム３０に関して、機器および機能の記憶がない。そのため、カーナビゲーションシステム３０を追加しても、表示器３に表示される入力情報には図４（ａ）に示すように、カーナビゲーションシステムを選択する表示がなく、カーナビゲーションシステムを動作させるための機器制御信号もないため動作させることもできない。
【００２１】
そのため機器が追加されたときに、機器が変更されたときと同様に記録媒体を読み取り装置を用いて記録媒体から機器を制御する制御信号の情報と表示器３で表示する入力情報を読み取り記憶部４に記憶させる。その結果、記憶部４に記憶されている情報が更新され、図４（ｂ）に示すように、表示器３にカーナビゲーションシステムを選択する表示が表れ、カーナビゲーションシステムを操作したい場合、入力部１のプッシュスイッチ２４を押すことでカーナビゲーションシステムを選択することができる。機器の削除の場合も同様に記憶部４を変更することで、表示器３の入力情報と機器の制御信号の情報を更新することができる。
【００２２】
また、図７に示すように有線で接続された記憶変更手段１１を用い、機器通信部９を介して記憶部４のデータを書き替えることで機器の変更や追加や削除を同様に行うことができる。ここで、記憶変更手段１１は具体的には有線で接続可能であり記憶部４の記憶を変更する情報を記録したノートパソコンである。また、図８に示すように無線で通信できる記憶変更手段１３を用い、無線受信部１２を介して記憶部４のデータを書き替えることで機器の変更や追加や削除を同様に行うことができる。ここで、記憶変更手段１３は具体的には無線で接続可能であり記憶部４の記憶を変更する情報を記録したノートパソコンである。また、図９に示すようにカーナビゲーションシステム４０の内部に前記カーナビゲーションシステム４０を制御する信号に関する情報と表示器３に出力する情報を記憶した機器情報記憶部４１から機器通信部９を介して記憶部４のデータを書き替えることで機器の変更や追加を同様に行うことができる。
【００２３】
また、入力情報を目で認識しなくとも入力装置１の操作ができれば表示器３は無くともよい。
【００２４】
なお、表示器３とオーディオなどの複数の機器は制御部２に対し別々の接続としているが、同じ接続線にて接続してもよい。
【００２５】
なお、入力装置１、制御部２、表示器３、複数の機器５〜７、３０、４０はそれぞれ別々のものとして説明したが、機能が満たされておれば、それらのうちのいくつかまたはすべてを一つにまとめてもよい。
【産業上の利用可能性】
【００２６】
本発明にかかる車両用入力システムは、複数の機器の操作を共有する入力装置と内部に記憶部を有する制御部と入力装置の入力情報を表示する表示器と複数の機器からなり、機器が変更、もしくは追加、もしくは削除されたときに追加または変更された機器から表示器に表示する情報と機器を制御する信号の情報を取り込んで記憶し、表示器の入力情報と機器への制御信号を新たな状態にすることで、機器に変更または追加または削除があった場合でも入力装置と制御部を変更することなく機器を操作できるという効果を有し、車両用入力システムとして有用である。
【図面の簡単な説明】
【００２７】
【図１】本発明の実施の形態１における入力装置と制御部と複数の機器と表示器の構成を示したブロック図
【図２】同実施の形態における入力装置の平面図
【図３】同実施の形態における入力装置と記録媒体を読み取る機能を備えた制御部と複数の機器と表示器の構成を説明するブロック図
【図４】同実施の形態における表示器の表示の動作説明図
【図５】同実施の形態における表示器の表示の動作説明図
【図６】同実施の形態における入力装置と機器が追加された場合の記録媒体を読み取る機能を備えた制御部と複数の機器と表示器の構成を説明するブロック図
【図７】同実施の形態における入力装置と有線で通信する機能を備えた制御部の構成と複数の機器と表示器の構成を説明するブロック図
【図８】同実施の形態における入力装置と無線で通信する機能を備えた制御部と複数の機器と表示器の構成を説明するブロック図
【図９】同実施の形態における入力装置と制御部と複数の機器と表示器を示したブロック図
【図１０】同実施の形態における機器が変更されたときにシステムの動作の概略を表すフローチャート
【図１１】従来システムのブロック図
【符号の説明】
【００２８】
１  入力装置
２  制御部
３  表示器
４  記憶部
５  オーディオ
６  エアコン
７  電話
８  表示器制御部
９  機器通信部
１０  記録媒体読み取り装置
１１  記憶変更手段
１２  無線受信部
１３  記憶変更手段
２１  プッシュスイッチ
２２  プッシュスイッチ
２３  プッシュスイッチ
２４  プッシュスイッチ
３０  カーナビゲーションシステム
４０  カーナビゲーションシステム
４１  機器情報記憶部
【図１】
2006321356.tif 000003
【図２】
2006321356.tif 000004
【図３】
2006321356.tif 000005
【図４】
2006321356.tif 000006
【図５】
2006321356.tif 000007
【図６】
2006321356.tif 000008
【図７】
2006321356.tif 000009
【図８】
2006321356.tif 000010
【図９】
2006321356.tif 000011
【図１０】
2006321356.tif 000012
【図１１】
2006321356.tif 000013